(57)【要約】【課題】  背もたれ部の通気性の調節を行なうことができるとともに、路面からの放射熱を防ぐことのできる乳母車を提供する。【解決手段】  乳母車は、通気用開口３を有するリクライニング調節可能な背もたれ部２と、反射部材４と、保持手段５とを備える。反射部材４は、背もたれ部２の背面に近接して位置する第１の位置と、背もたれ部２の背面から離れて位置する第２の位置とに選択的に位置変更可能に設けられており、背もたれ部２に面しない外側表面が反射性表面を形成する。保持手段５は、反射部材４を位置変更可能に保持するものである。反射部材４が第１の位置にあるときには通気用開口３が閉塞され、反射部材４が第２の位置にあるときには通気用開口３が開放される。【選択図】      図２
2005193754.tif 000002
【特許請求の範囲】
【請求項１】
通気用開口を有する座席形成部材と、
前記座席形成部材の背面に近接して位置する第１の位置と、前記座席形成部材の背面から離れて位置する第２の位置とに選択的に位置変更可能に設けられ、前記座席形成部材に面しない外側表面が反射性表面を形成する反射部材と、
前記反射部材を位置変更可能に保持する保持手段とを備え、
前記反射部材が前記第１の位置にあるときには前記通気用開口が閉塞され、前記反射部材が前記第２の位置にあるときには前記通気用開口が開放される、乳母車。
【請求項２】
前記座席形成部材は、リクライニング調節可能な背もたれ部である、請求項１に記載の乳母車。
【請求項３】
前記背もたれ部は、その両側縁から前方に向かって立ち上がって延びる１対の側壁を含み、
前記各側壁は、通気用開口を有し、
前記反射部材は、前記１対の側壁の背面に近接する位置と、前記１対の側壁の背面から離れる位置とに選択的に位置変更可能に設けられた１対の側壁反射部材を含む、請求項２に記載の乳母車。
【請求項４】
前記座席形成部材は、座部である、請求項１〜３のいずれかに記載の乳母車。
【発明の詳細な説明】
【技術分野】
【０００１】
この発明は、乳母車に関し、特に背もたれ部に通気用開口を有する乳母車に関するものである。
【背景技術】
【０００２】
子供に対して快適な環境を与える要素として、通気性がある。夏や、暑くて湿気の多い日には、乳母車の座席に座る子供に対して涼感を与えるために通気性の良好な座席が好ましい。一方、冬や、寒くて風のきつい日には、隙間風の侵入を防いで保温性を維持できることが好ましい。
【０００３】
本件出願と同一の出願人は、特開２００３−１７５８２７号公報（特許文献１）において、背もたれ部の通気性の程度を調整することのできる乳母車を開示している。具体的には、背もたれ部を構成する壁が互いに重ね合わせて配置される第１および第２の板部材を備え、第１の板部材は厚み方向に貫通する第１の開口を有し、第２の板部材は、厚み方向に貫通する第２の開口を有し、かつ第１および第２の開口が整列する第１の位置と、第１および第２の開口がずれて位置する第２の位置との間を相対的に位置変更可能に設けられている。
【０００４】
上記の構成の乳母車によれば、第２の板部材を第１の位置に保持すれば、整列した第１および第２の開口を通して座席内に風が通るようになるので、良好な通気性が得られる。一方、第２の板部材を第２の位置に保持すれば、第１および第２の開口が遮断されるので、開口を通した風の侵入が無くなり、良好な保温性が得られる。
【特許文献１】特開２００３−１７５８２７号公報
【発明の開示】
【発明が解決しようとする課題】
【０００５】
特開２００３−１７５８２７号公報は、背もたれ部がほぼ水平になるまで後傾可能な乳母車を開示している。このようなベッド状の形態となる乳母車の場合、特に夏季におけるアスファルトやコンクリート路面からの照り返しによる温熱環境を考慮する必要がある。
【０００６】
本願の出願人が調査したところによると、夏で天気の良い日の午後２時ごろにアスファルト路面上で乳母車をベッド状の形態にして押している場合、乳児の顔位置の温度は、気象台発表の気温よりも５．５度も高い３６．４℃になった。これは、乳母車を押している人の大人の顔位置の温度よりも３．５度高かった。乳母車を停止すると、乳児の顔位置の温度はさらに高温になり、大人の顔位置との温度差は４度を超えた。
【０００７】
上記の調査結果から明らかなように、特にベッド状の形態になる乳母車の場合、路面からの放射熱対策を施すことが望ましい。
【０００８】
この発明の目的は、座席形成部材の通気性の調節を行なうことができるとともに、路面からの放射熱を防ぐことのできる乳母車を提供することである。
【課題を解決するための手段】
【０００９】
この発明に従った乳母車は、通気用開口を有する座席形成部材と、反射部材と、保持手段とを備える。反射部材は、座席形成部材の背面に近接して位置する第１の位置と、座席形成部材の背面から離れて位置する第２の位置とに選択的に位置変更可能に設けられ、座席形成部材に面しない外側表面が反射性表面を形成している。保持手段は、反射部材を位置変更可能に保持するものである。反射部材が第１の位置にあるときには通気用開口が閉塞され、反射部材が第２の位置にあるときには通気用開口が開放される。
【００１０】
上記構成の本発明によれば、反射部材の反射性表面が路面からの放射熱を反射するので、座席内の温度が異常に上昇するのを防止できる。また、反射部材を座席形成部材に近接させることにより通気用開口を閉塞し、反射部材を座席形成部材から離すことにより通気用開口を開放するものであるので、反射部材に通気用の開口を設ける必要がなく、反射性表面の形成が容易になる。
【００１１】
一つの実施形態では、座席形成部材は、リクライニング調節可能な背もたれ部である。この場合、座席がベッド状の形態になっていても乳児の顔位置の温度が異常に上昇するのを防止できる。背もたれ部は、その両側縁から前方に向かって立ち上がって延びる一対の側壁を含むものであってもよい。各側壁は、好ましくは、通気用開口を有する。反射部材は、一対の側壁の背面に近接する位置と、一対の側壁の背面から離れる位置とに選択的に位置変更可能に設けられた一対の側壁反射部材を含む。
【００１２】
他の実施形態では、座席形成部材は座部である。
【発明を実施するための最良の形態】
【００１３】
図１および図２は、この発明の一実施形態である乳母車の座席を図解的に示している。乳母車の座席は、座部１と、背もたれ部２とを備える。背もたれ部２は、リクライニング調節可能に設けられており、図２に示すようなベッド状の形態となるまで後傾可能である。背もたれ部２は、座席に良好な通気性をもたらすために、多数の通気用開口３を有している。通気用開口３は、例えば、貫通穴の形態となっている。
【００１４】
乳母車の座席は、さらに、反射部材４と、保持手段５と、止め具６とを備える。反射部材４は、図１に示すように背もたれ部２の背面に近接して位置する第１の位置と、図２に示すように背もたれ部２の背面から離れて位置する第２の位置とに選択的に位置変更可能に設けられている。
【００１５】
反射部材４は、背もたれ部２に面しない外側表面が反射性表面を形成している。反射性表面は、例えば、反射部材４自体をアルミニウム製の板材で形成することによって形成される。他の例として、反射部材４を形成する板材の表面に、アルミニウム等の反射性金属を蒸着したり、アルミ箔を接着するようにしてもよい。
【００１６】
保持手段５は、反射部材４を位置変更可能に保持するものであり、背もたれ部２と反射部材４とを接離可能（接近および離すことが可能）に連結している。そのような保持手段５として、例えば、両端が回動可能に連結されたリンク部材、柔軟性のあるベルト部材等を使用することができる。
【００１７】
止め具６は、反射部材４を背もたれ部２の背面に密接して保持するものであり、例えば、背もたれ部２に取付けられた変位可能なクリップ、背もたれ部２と反射部材４とを取り外し可能に接続する接続具等を使用することができる。
【００１８】
反射部材４が図１に示す第１の位置にあるとき、すなわち反射部材４が背もたれ部２の背面に密接して位置しているときには、背もたれ部２の通気用開口３は反射部材４によって閉塞される。一方、反射部材４が図２に示す第２の位置にあるとき、すなわち反射部材４が背もたれ部２の背面から大きく離れて位置しているときには、背もたれ部２の通気用開口３は開放される。
【００１９】
上記のように図１および図２に示す実施形態によれば、冬や、寒くて風のきつい日には、反射部材４を図１の第１の位置にもたらすことによって座席に対して良好な保温性を与える。一方、夏や、暑くて湿気の多い日には、反射部材４を図２に示すような第２の位置にもたらすことによって通気用開口３を開放し、座席に対して良好な通気性を与える。なお、図１に示すような椅子状の形態において、反射部材４を第２の位置にもたらして通気用開口３を開放するようにしてもよい。その逆に、図２に示すようなベッド状の形態において、反射部材４を第１の位置にもたらして通気用開口３を閉塞するようにしてもよい。
【００２０】
夏の季節で晴れた日には路面からの放射熱が問題になるが、図１および図２に示したような実施形態によれば、反射部材４の反射性表面が路面からの放射熱を反射するので、座席がベッド状の形態になっていても乳児の顔位置の温度が異常に上昇するのを防止できる。
【００２１】
上記のように、図１および図２に示した実施形態によれば、反射部材４は、通気性を調節するための機能と、路面からの放射熱を防止するための機能とを併せ持つ。
【００２２】
背もたれ部がリクライニング調節できない乳母車や、ベッド状の形態にならない乳母車の場合、座部１の背面に、路面からの放射熱を反射するための反射性表面を設けるようにしてもよい。ただ、通常、座部１の下方には物品を収納するためのかご等が配置されているので、特に反射性表面の形成が不要になることもある。背もたれ部の背面および座部の背面にそれぞれ反射性表面を設けるようにしてもよい。
【００２３】
図３および図４は、この発明の他の実施形態を図解的に示している。図示する座席は、通気用開口１２を有する背もたれ部１０と、保持手段１７を介して背もたれ部１０から接離可能に設けられた反射部材１４とを備える。
【００２４】
背もたれ部１０は、その両側縁から前方に向かって立ち上がって延びる一対の側壁１１を含む。各側壁１１は、多数の通気用開口１３を有する。図３に示すように、反射部材１４は、その両側縁から背もたれ部の一対の側壁１１に沿って延びる一対の側壁反射部材１５を含む。止め具１６は、一対の側壁反射部材１５を背もたれ部１０の一対の側壁１１に密接して保持するためのものである。
【００２５】
図４に示すように、一対の側壁反射部材１５は、反射部材１４の背面上に重なるように折り返されることができるようになっている。図示していないが、一対の側壁反射部材１５の折り返し状態は適当な手段によって維持することが可能である。
【００２６】
一対の側壁反射部材１５を含む反射部材１４が、図３に示すように、一対の側壁１１を含む背もたれ部１０の背面に密接して位置しているときには、通気用開口１２，１３は閉塞状態になる。一方、一対の側壁反射部材１５を含む反射部材１４が、図４に示すように、一対の側壁１１を含む背もたれ部１０の背面から大きく離れているときには、通気用開口１２，１３は開放状態になる。
【００２７】
通気用開口１２、１３を開放している状態で路面からの放射熱を反射するために、一対の側壁反射部材１５の内面（一対の側壁１１に向く面）に反射性表面を形成する。図４に示すような通気用開口開放状態では、一対の側壁反射部材１５は反射部材１４の背面上に折り返されるので、側壁反射部材１５の内面に形成されていた反射性表面は、路面に向くことになる。
【００２８】
図３および図４に示す実施形態では、一対の側壁反射部材１５が路面からの放射熱を反射する反射性表面を形成している。なお、背もたれ部１０および一対の側壁１１に面しない反射部材１４および一対の側壁反射部材１５の外面全面に反射性表面を形成してもよい。
図５および図６は、この発明のさらに他の実施形態を図解的に示している。図示する座席は、通気用開口２２を有する背もたれ部２０と、保持手段２７を介して背もたれ部２０から接離可能に設けられた反射部材２４とを備える。
【００２９】
背もたれ部２０は、その両側縁から前方に向かって立ち上がって延びる一対の側壁２１を含む。各側壁２１は、多数の通気用開口２３を有する。図５に示すように、反射部材２４は、その両側縁から背もたれ部の一対の側壁２１に沿って延びる一対の側壁反射部材２５を含む。反射部材２４および一対の側壁反射部材２５は、それぞれ、背もたれ部２０および側壁２１に面しない外側表面が反射性表面を形成している。
【００３０】
一対の側壁反射部材２５を含む反射部材２４が、図５に示すように、一対の側壁２１を含む背もたれ部２０の背面に密接して位置しているときには、通気用開口２２，２３は閉塞状態になる。一方、一対の側壁反射部材２５を含む反射部材２４が、図６に示すように、一対の側壁２１を含む背もたれ部２０の背面から大きく離れているときには、通気用開口２２，２３は開放状態になる。
【００３１】
以上、図面を参照してこの発明のいくつかの実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３２】
この発明は、リクライニング調節可能な背もたれ部を有する乳母車に有利に利用され得る。
【図面の簡単な説明】
【００３３】
【図１】この発明の一実施形態を示す図解的側面図である。
【図２】図１に示す状態から背もたれ部を後方に倒し、通気用開口を開放した状態を示す図解的側面図である。
【図３】この発明の他の実施形態を示す図解的平面図である。
【図４】図３に示す状態から通気用開口を開放した状態を示す図解的平面図である。
【図５】この発明のさらに他の実施形態を示す図解的平面図である。
【図６】図５に示す状態から通気用開口を開放した状態を示す図解的平面図である。
【符号の説明】
【００３４】
１  座部、２  背もたれ部、３  通気用開口、４  反射部材、５  保持手段、６  止め具、１０  背もたれ部、１１  側壁、１２，１３  通気用開口、１４  反射部材、１５  側壁反射部材、１６  止め具、１７  保持手段、２０  背もたれ部、２１  側壁、２２，２３  通気用開口、２４  反射部材、２５  側壁反射部材、  ２７  保持手段。
【図１】
2005193754.tif 000003
【図２】
2005193754.tif 000004
【図３】
2005193754.tif 000005
【図４】
2005193754.tif 000006
【図５】
2005193754.tif 000007
【図６】
2005193754.tif 000008